(57)【要約】      （修正有）【課題】振動周波数の異なる２種類の振動を防振する。【解決手段】振動絶縁装置を開示する。シャフト102、最初の軸受筒124、2番目の軸受筒164、最初の外側の輪状のメンバー126、2番目の外側の輪状のメンバー166、最初のエラストマーメンバー128、2番目のエラストマーメンバー168、および詰め物107。第1代エラストマーメンバー128は、最初の振動をじめじめとするのに最初の堅さを提供するために適合させられます、そして、第2代エラストマーメンバー168は、2番目の振動（最初の堅さよりすばらしい2番目の堅さ）をじめじめとするのに2番目の堅さを提供するために適合させられます。【選択図】図２
2010112555.tif 000002
【特許請求の範囲】
【請求項１】
振動絶縁装置（100）であって、
最初の終わり（108）と2番目の終わり（110）の間にシャフト（102）から放射状に外面的に広がりながら半径のプレート（114）を含んでいて、最初の端（108）と2番目の終わり（110）、シャフト（102）を持って、配列されたシャフト（102）、
フランジを含んでいて、最初の軸受筒（124）は、（144） そこから放射状に外面的に広がりながら、半径のプレート（114）とシャフト（102）、最初の端（138）と第2の端（140）を持っている最初の軸受筒（124）の2番目の端（110）、1日の2番目の終わり（140）に茂っている（124）の間の軸の位置をシャフト（102）に上がり、
最初の終わりの（173）と2番目の終わり、秒の最初の終わり（108）に茂っている（164）の間の広がりが最初の軸のギャップ（172）を形成する最初の軸受筒（124）の2番目の端（140）は別として区切った、シャフト（102）に配列されて、半径のプレート（114）と最初の軸受筒（124）の間に置かれた2番目の軸受筒（164）、最初の端（170）を持っている2番目の軸受筒（164）、2番目の終わりの（174）、および初めの（178）; （102） （114） （176） そのほかに軸のクリアランス、および直径を持っている初めの（178）を形成しながらそこから放射状に外面的に広がりながらフランジ（184）を含んで、半径のプレートに隣接して置かれた2番目の終わりの（174）が、シャフトの直径よりすばらしいので、半径のギャップ（179）は2番目の軸受筒（164）とシャフト（102）の間で形成され、
最初の軸受筒（124）に同心な状態で配列されて、付属を持っている最初の外側の輪状のメンバー（126）は、（156）に面し、
第1代2番目の軸のギャップ（191）を形成する外側の輪状のメンバー（126）の付属顔（156）は別として、2番目の軸受筒（164）に同心な状態で配列されて、付属を（190） それに面させる2番目の外側の輪状のメンバー（166）は区切られ、
第1代外側の輪状のメンバー（126）と最初の軸受筒（124）の間のシャフト（102）に同心な状態で配列された、最初のエラストマーメンバー（128）、第1代最初の終わり（160）と1秒を持っているエラストマーメンバー（128）は、（162）を終わらせます、第1代最初の軸受筒（124）のフランジ（144）を隣接させるエラストマーメンバー（128）の最初の終わり（160）、
第2代外側の輪状のメンバー（166）と2番目の軸受筒（164）の間のシャフト（102）に同心な状態で配列された、2番目のエラストマーメンバー（168）、第2代最初の終わり（196）と1秒を持っているエラストマーメンバー（168）は、（198）を終わらせます、第2代2番目の軸受筒（164）のフランジ（184）を隣接させるエラストマーメンバーの最初の終わり（108）、
最初の軸受筒（124）の2番目の端と2番目の軸受筒（164）の2番目の端の間と、そして、第1代外側の輪状のメンバー（126）の付属顔（156）と第2代外側の輪状のメンバーの付属顔（190）の間に配列された詰め物（107）; 最初の厚みを持っている部分と第2の厚みを持っている部分を持っている詰め物（107）、実質的に眼軸長と等しい最初の軸のギャップ（172）の最初の厚さ、および実質的に眼軸長と等しい2番目の軸のギャップ（191）の2番目の厚さ、
第1代エラストマーメンバー（128）は、最初の振動をじめじめとするのに最初の堅さを提供するために適合させられます、そして、第2代エラストマーメンバー（168）は、2番目の堅さが最初の堅さよりすばらしくて、2番目の振動をじめじめとするのに2番目の堅さを提供するために適合させられる、振動絶縁装置。
【請求項２】
請求項１の振動絶縁装置（100）であって、半径のギャップが約0.254mmから約0.508mmの範囲に半径の長さを持っている、振動絶縁装置。
【請求項３】
請求項１の振動絶縁装置（100）であって、最初の軸のギャップ（172）は約0.254mmから約0.508mmの範囲に眼軸長を持っている、振動絶縁装置。
【発明の詳細な説明】
【技術分野】
【０００１】
発明的な内容は、一般に、隔離装置に関連し、特に二元的な剛性を持っている振動絶縁装置に関連する。
【背景技術】
【０００２】
孤立マウントは、求められていない振動からペイロード（例えば、敏感なコンポーネント）を隔離するのに通常使用されます。孤立マウントには、求められていない振動の頻度より低いのが選択される折れ点周波数があるかもしれません、その結果、それが孤立マウントを通してペイロードの中に伝えられるので、求められていない振動の減衰を提供します。 また、孤立マウントが振動をじめじめとするかもしれないので、孤立系（すなわち、ペイロードと孤立は一緒に上がる）の共鳴周波数での増幅は希望のレベルに制限されます。
【０００３】
それが軌道の中と、そして、小さな振幅振動環境で軌道の一度始められるとき、敏感なペイロードを含んでいる宇宙船は、大振幅振動環境にかけられるかもしれません。 そのようなペイロードは、大きい振幅打上げ振動環境の間、振動防止の利益を得ることができて、また、軌道の低振動環境で適切に機能するためには一度軌道の振動防止の利益を得るかもしれません。 小さな振幅振動環境には、大きい振幅打上げ振動環境のための孤立マウントの希望の特性（例えば、堅さ、湿気は頻度を壊す）は孤立マウントの希望の特性と同じでないかもしれません。 しかしながら、上で説明された分離系が、ただ一つの特定の共鳴周波数と湿気レベルを持って、ただ一つの特定の振動環境で作動するために通常に大きさで分けられるので、彼らは両方の振動環境で適切に作動しないかもしれません。
【発明の概要】
【発明が解決しようとする課題】
【０００４】
従って、単一の孤立装置を持っているのが異なった振幅で振動環境で作動するために能力を改良したのは、望ましいです。 さらに、装置が動力の供給なしで操作できるのは（すなわち、受け身の）、望ましいです。 そのうえ、装置は比較的安価であって、製造しているのが簡単であることは、望ましいです。 その上、発明的な内容の他の望ましい特徴と特性は、発明的な内容と追加されたクレームのその後の詳述から、および添付図面と発明的な内容のこのバックグラウンドから、明らかになるでしょう。
【課題を解決するための手段】
【０００５】
本発明は、振動絶縁装置を提供します。
具体化、および一例としてのみ、振動絶縁装置はシャフト、最初の軸受筒、2番目の軸受筒、最初の外側の輪状のメンバー、2番目の外側の輪状のメンバー、最初のエラストマーメンバー、2番目のエラストマーメンバー、および詰め物を含んでいます。 シャフトは、最初の端と第2の端を持っていて、最初の終わりと2番目の終わりの間にシャフトから放射状に外面的に広がっていて、配列された半径のプレートを含んでいます。 最初の軸受筒は半径のプレートとシャフトの2番目の端の間の軸の位置のシャフトに取り付けられます。 最初の軸受筒には、そこから放射状に外面的に広がるフランジを含んでいて、最初の端と2番目の端があります。 2番目の軸受筒は、シャフトに配列されて、半径のプレートと最初の軸受筒の間に置かれます。 2番目の軸受筒で、最初の終わり、2番目の終わり、および始まりは最初の終わりと2番目の終わりの間で延びます。 最初の軸のギャップを形成する最初の軸受筒の2番目の端は別として、2番目の軸受筒の最初の端は区切られます、そして、2番目の終わりは、そこから放射状に外面的に広がるフランジを含んで、そのほかに軸のクリアランスを形成しながら、半径のプレートに隣接して位置決めされます、そして、始まりにはシャフトの直径より大きい直径があるので、半径のギャップは2番目の軸受筒とシャフトの間で形成されます。 第1代外側の輪状のメンバーは、最初の軸受筒に同心な状態で配列されて、付属顔を持っています。 第2代外側の輪状のメンバーは、2番目の軸受筒に同心な状態で配列されて、第2代2番目の軸のギャップを形成する外側の輪状のメンバーの付属顔は別として区切られる付属顔を持っています。 第1代エラストマーメンバーは、第1代外側の輪状のメンバーと最初の軸受筒の間のシャフトに同心な状態で配列されて、最初の端と第2の端を持っています。 第1代エラストマーメンバーの最初の終わりは最初の軸受筒のフランジを隣接させています。 第2代エラストマーメンバーは第2代外側の輪状のメンバーと2番目の軸受筒の間のシャフトに同心な状態で配列されます。      
【０００６】
第2代エラストマーメンバーには、最初の端と2番目の端があります。 第2代エラストマーメンバーの最初の終わりは2番目の軸受筒のフランジを隣接させています。 詰め物は最初の軸受筒の2番目の端と2番目の軸受筒の2番目の端の間と、そして、第1代外側の輪状のメンバーの付属顔と第2代外側の輪状のメンバーの付属顔の間に配列されます。 詰め物には、最初の厚みを持っている部分、第2の厚みを持っている部分、実質的に眼軸長と等しい最初の軸のギャップの最初の厚み、および実質的に眼軸長と等しい2番目の軸のギャップの2番目の厚みがあります。 第1代エラストマーメンバーは、最初の振動をじめじめとするのに最初の堅さを提供するために適合させられます、そして、第2代エラストマーメンバーは、2番目の振動（最初の堅さよりすばらしい2番目の堅さ）をじめじめとするのに2番目の堅さを提供するために適合させられます。
【０００７】
別の具体化における、一例としてのみ、振動絶縁装置は柄、2つのマウント部分、および詰め物を含んでいます。 シャフトには、最初の端と2番目の端があります。 シャフトは、シャフトから放射状に外面的に広がる半径のプレートを含めて、最初の終わりと2番目の終わりの間に配列されます。 最初のマウント部分は、半径のプレートとシャフトの2番目の端の間のシャフトと結合されて、最初の軸受筒、最初の外側の輪状のメンバー、および最初のエラストマーメンバーを含めます。 最初の軸受筒は、半径のプレートとシャフトの2番目の端の間の軸の位置のシャフトに取り付けられて、最初の端と第2の端を持っています。 最初の軸受筒の2番目の端はそこから放射状に外面的に広がるフランジを含んでいます。 第1代外側の輪状のメンバーは、最初の軸受筒に同心な状態で配列されて、付属顔を持っています。 第1代エラストマーメンバーは、第1代外側の輪状のメンバーと最初の軸受筒の間のシャフトに同心な状態で配列されて、最初の端と第2の端を持っています。 第1代エラストマーメンバーの最初の終わりは最初の軸受筒のフランジを隣接させています。 2番目のマウント部分は、最初のマウント部分と半径のプレートの間のシャフトに配列されて、2番目の軸受筒、2番目の外側の輪状のメンバー、および2番目のエラストマーメンバーを含めます。 2番目の軸受筒は、シャフトに配列されて、半径のプレートと最初の軸受筒の間に置かれます。 最初の終わり、2番目の終わり、および始まりが最初の終わりと2番目の終わりの間で2番目の軸受筒で延びて、2番目の軸受筒の最初の端が区切られることは別として、最初の軸のギャップを形成する最初の軸受筒の2番目の端まで; 2番目の終わりがそのほかに軸のクリアランスを形成しながらそこから放射状に外面的に広がっていて、半径のプレートに隣接して置かれたフランジを含んで、始まりにはシャフトの直径より大きい直径があるので、半径のギャップは2番目の軸受筒とシャフトの間で形成されます。 第2代外側の輪状のメンバーは、2番目の軸受筒に同心な状態で配列されて、第2代2番目の軸のギャップを形成する外側の輪状のメンバーの付属顔は別として区切られる付属顔を持っています。 第2代エラストマーメンバーは第2代外側の輪状のメンバーと2番目の軸受筒の間のシャフトに同心な状態で配列されます、そして、第2代エラストマーメンバーには、最初の端と2番目の端があります、そして、第2代エラストマーメンバーの最初の終わりは2番目の軸受筒のフランジを隣接させています。 詰め物は、最初の軸受筒の2番目の端と2番目の軸受筒の2番目の端の間と、そして、第1代外側の輪状のメンバーの付属顔と第2代外側の輪状のメンバーの付属顔の間に配列されて、最初の厚みを持っている部分、第2の厚みを持っている部分、実質的に眼軸長と等しい最初の軸のギャップの最初の厚み、および実質的に眼軸長と等しい2番目の軸のギャップの第2厚みを持っています。 第1代エラストマーメンバーは、最初の堅さを提供するために適合させられます、そして、第2代エラストマーメンバーは、最初の堅さ以下である2番目の堅さを提供するために適合させられます。
【０００８】
本発明が、以下に添付図面とともに説明される。図面において同様の要素には同様の符号が付されている。添付図面は以下のとおりである。
【図面の簡単な説明】
【０００９】
【図１】本発明による振動分離装置の一実施形態を示す図である。
【図２】本発明による振動分離装置の一実施形態の断面図である。
【発明を実施するための形態】
【００１０】
以下の詳述は単に現実に模範的であり、発明的な内容の発明的な内容かアプリケーションと用途を限定する意図ではありません。その上、前のバックグラウンドで提示されたどんな理論か以下の詳述でも縛られるという意志が全くありません。
【００１１】
図1は振動絶縁装置100の斜視図です、そして、図2は線1-1に沿って取られた図1の振動絶縁装置100の断面図の視点です、具体化に従って。 振動絶縁装置100はシャフト102を含んで、シャフト102に取り付けられた、最初のマウント部分（点を打たされた箱104で、図2で示される）、シャフト102に配列された2番目のマウント部分（点を打たされた箱106で、図2で示される）、および二人を引き離す詰め物107はセクション104、106を取り付けます。 シャフト102は振動絶縁装置100のコンポーネントが取り付けられる固定棒として機能するかもしれません。 振動絶縁装置100のコンポーネントを支えるために、シャフト102は最大約2万Hzの頻度を持っている振動にかけられると構造的完全性を維持できる材料を含むかもしれません、具体化で。 別の具体化では、シャフト102は、Suitableの材料が含むさまざまな約-40°Cから約100°C.の温度にさらされると構造的完全性を維持できる材料を含むかもしれませんが、鉄鋼、アルミニウム、またはチタニウムに制限されません。      
【００１２】
シャフト102のために選択された特定の材料は、振動絶縁装置100が露出されるかもしれない環境に依存するかもしれません。
図2に関して、最初に、終わり108と1秒はシャフト102で110を終わらせます。 最初の終わりに、108本のシャフト102が、隔離される（目立たない）ために構造と結合するために適合させられます。 1つの例では、隔離されるべき構造は、ペイロード、衛星、または敏感な宇宙船conponentであるかもしれません、そして、最初の終わりに、108は、それに付くためにそれに従って、構成されるかもしれません。 具体化によると、隔離されるべき構造には穴があるかもしれません、そして、108には、最初の終わりに、実質的に構造始まりの（±例えば、0.05mm）直径と等しい外側の直径があるかもしれません。 例えば、隔離されるべき構造で、比較的小さいかもしれなく、第1を収容する始まりは、約0.1cmから約1cmの範囲に外側の直径を持っている108を終わらせるかもしれません。 他の具体化では、108がそうする最初の終わりの外側の直径は前述の範囲より多少そうです。 2番目の終わりに、110本のシャフト102が、シャフト102の上にコンポーネントを保有するために構成されるかもしれません。 この点でと、2番目の終わりに、110は、ナット112の上に縫うように通ると対応する縫うように通ることを含むかもしれません、具体化で。 交互の具体化では、2番目の終わりに、シャフト102の隣接部分に比例して110は、拡大した外側の直径を持っているかもしれません。 そのような場合、110がそうする2番目の終わりの外側の直径では、約0.1cmから約1cmの範囲に測定を持ってください。 他の具体化では、2番目の終わりに110は、より大きいか、より小さい外側の直径を持っているかもしれません、そして、外側の直径測定はナット112を通して始まりのサイズ処理に依存するかもしれません。
【００１３】
具体化に従った、また、シャフト102は半径のプレート114を含むかもしれません。（それは、1番目と2番目の軸の位置がシャフト102の長さに比例してセクション104、106を取り付けると主張するために構成されるかもしれません）。 具体化に、114がシャフト102から放射状に外面的に1番目と秒の間広げる半径のプレートは108、110本のシャフト102を終わらせます。1つの具体化、114がそうする半径のプレートに従った置かれた2番目より1日に近い終わり108が110を終わらせるということになってください。 別の具体化では、半径のプレート114が実質的に置かれるかもしれない、距離の等しい、（例えば、±0.05ミリメートルおよそ差、）、1番目と2番目の終わり108、110の両方 さらに、他の具体化、半径のプレート114に、見つけられた最初の終わりより2番目に近い終わり110の108があるかもしれません。 特定の位置決めにかかわらず、半径のプレート114は102を、不可欠に形成されるか、またはシャフトと結合されるかもしれません、溶接やおよび同様のものなどのように。 半径のプレート114は実質的に同様であるか、またはシャフト102の材料に同様の特性を持っている材料から成るかもしれません。
【００１４】
半径のプレート114には、一般に多角形の、または、円形の、または、胚珠の、または、他の形を持っている外側の半径の表面116があるかもしれません。 例えば、図1に示されているように、外側の半径の表面116は、六角形であるかもしれません。 他の形は他の具体化における外側の半径の表面116に適当であるかもしれません。 具体化では、外側の半径の表面116で、シャフト102の上に軸方向に予定された軸方向位置を超えて滑るので、2番目のコンポーネントを防ぐのに適当な直径はセクション106を取り付けるかもしれません。 この点で、外側の半径の表面116の直径が約0.25cmから約2.5cmの範囲にあるかもしれません。 しかしながら、他の具体化では、外側の半径の表面116は、よりすばらしいか、または、より小さいかもしれません。 外側の半径の表面116の直径が2番目のマウントの隣接している部品の直径より小さい具体化では、セクション106、洗濯機（目立たない）または他のプレートのようなコンポーネントが外側の半径の表面116のものが使われるかもしれないより大きい直径を持っているのを構成されました。
【００１５】
別の具体化で図2に戻って、シャフト102はさらに、そこから放射投影120の広がりを含むかもしれません。 放射投影120は修理するために構成されて、1つの番目もののコンポーネントが、シャフト102の上の軸の位置にセクション104を取り付けて、シャフト102で不可欠に形成されるかもしれません、具体化でことであるかもしれません。 別の具体化では、放射投影120はシャフト102と結合される、別々の断片であるかもしれません、溶接やおよび同様のものなどのように。 放射投影120は半径のプレート114と2番目の終わり110の間の軸方向位置のシャフト102から放射状に外面的に広がるかもしれません。 放射投影120で、1つの番目ものの取り付けコンポーネントを通して実質的に初めの122の直径と等しい外側の直径はセクション104（例えばさらに詳細に以下で説明される軸受筒124）を取り付けるかもしれません。 例えば、放射投影120の外側の直径が約0.11cmから約1.1cmの範囲にあるかもしれません、そして、122個の初めの軸受筒124には、対応する初めの直径測定があるかもしれません。 他の具体化では、放射投影120の外側の直径は、以前に言及された範囲よりさらに大きいか、または小さいかもしれません。 別の具体化では、軸受筒が122を開くことでは放射投影120の外側の直径はそれより小さいかもしれません、その場合、中間的取り付けコンポーネント（目立たない）は放射投影120と軸受筒124の間に含まれるかもしれません。
【００１６】
さらに1番目を安全にする0017はセクション104をシャフト102に取り付けます、シャフト102の端110には実質的に122を開く取り付けコンポーネントの直径と等しい外側の直径があるかもしれない秒に、具体化で。 例えば、終わり110が約0.1cmから約1.0cm、および122個の初めの軸受筒124ものの1つの範囲にあるかもしれない秒の外側の直径には、対応する初めの直径測定があるかもしれません。 さらに、他の具体化、110がそうする2番目の終わりの外側の直径では、以前に言及された範囲よりさらに大きいか、または小さくしてください。 1つの具体化では、2番目の終わりに、110は、実質的に放射投影120の外側の直径と等しい外側の直径を持っているかもしれなくて、他の具体化において、しかしながら、外側の直径は等しくないかもしれません。 さらに、他の具体化、取り付けコンポーネントが122を開くのにおいて終わり110がそれより小さいかもしれない秒の外側の直径、および中間的取り付けでは、シャフト102と取り付けコンポーネントの間に配列されるかもしれないコンポーネント（目立たない）は、含まれるかもしれません。0018 1番目はマウント部分106がマルチモード能力（異なった振幅レベルにおけるすなわち、異なった堅さと湿気の特性）を振動防止装置100に提供するために構成されるセクション104と秒を取り付けます。 そうするために、104が構成される最初のマウント部分は最初の振動モード、およびマウント部分106が2番目の振動モードで作動している間、2番目の堅さと湿気を持つために構成される秒に作動しながら、最初の堅さと湿気を持っています。 最初の振動モードは小さな振幅振動であるかもしれません、2番目の振動モードが大振幅振動であるかもしれませんが。 具体化では、最初の堅さと湿気は2番目の堅さと湿気より低いです。 他の具体化では、1番目、堅さ、および2番目の湿気は同様です。 どのような場合でも、頻度では最初の堅さと湿気から生じる分離系共鳴周波数（すなわち、孤立マウントと一緒にペイロード）は、2番目の堅さから生じる分離系共鳴周波数と湿気より低いかもしれません。 ある具体化では、最初の堅さは約1200のlbf/コネから11000lbf/コネに関しておよそ3つのlbf/コネから約300lbfまでの/コネ、最初の周波数区域がいつ約1Hzから約10Hzまでの値を含むか、そして、および2番目の堅さの1つの範囲が範囲にあるかもしれないコネであるかもしれません、2番目の周波数区域が約20Hzから約60Hzまでの値を含んでいるとき。 他の具体化では、マウント部分104、106が前述の範囲と特定の値よりさらにすばらしいか、または少ないかもしれない1番目と秒の堅さ値はじめじめとされるべき構造の構成と構造で経験された特定の振動に依存するかもしれません。 
【００１７】
図2の継続的な参照がある0019、セクション104は最初の堅さを提供する能力と最初の振動モード、最初のマウントのための最初に、湿気と共にセクション104を最初のマウントに供給するために、上で最初の茂っている124で説明された方法でシャフト102に固定されていて、メンバーの最初の外側の輪状の126と第1エラストマーメンバー128を含んでいます。 最初の茂っている124が固定ロケーションのシャフト102と結合されるので、最初の茂っている124は堅い材料で作られているかもしれません、アルミニウム、または他の具体化における別の材料などのように。 具体化によると、最初の茂っている124は上で説明された始まり122、円筒断面142、およびフランジ144を含んでいます。 初めの122は、眼軸長に沿って具体化で均一直径を持っていますが、あるいはまた、他の具体化で異なった直径を持っているかもしれません。 
【００１８】
円筒断面142が第1の間で広げる0020が138を終わらせて、2分の1は、最初の茂っている124のうちの140を終わらせて、約0.2cmから約3cmの範囲に外側の直径を持っているかもしれません。 特定の外側の直径は隔離者100の希望の全体寸法に依存するかもしれません。      
【００１９】
フランジ144（2番目の終わりから最初の茂っている124のうちの140を放射状に外面的に広げます）には、円筒断面142のものより大きい外側の直径があります、具体化に従って。 別の具体化では、フランジ144はナット112の外側の直径より大きい外側の直径を持っています。 例えば、フランジ144の外側の直径が約0.3cmから約4cmの範囲にあるかもしれません、具体化で。 しかし、他の具体化では、フランジ144の外側の直径はそうです。より大きいか、または、より小さいです。 どちらの場合ではも、洗濯機146は2番目の終わり140とナット112の間に配列されるかもしれません、それぞれが連絡できるものを平面に提供するために。 洗濯機146には、フランジ144かナット112のどちらかの外側の直径よりさらに大きいか、または小さい外側の直径があるかもしれません。 フランジ144には、それでは、他の具体化における異なった形があるかもしれませんが、一般に円形の形があるかもしれません。
【００２０】
図を参照する0021 最初に、外側の輪状のメンバー126は、シャフト102への同心で第1代エラストマーメンバーを置く最初の茂っている124の周りで配列されています。1 そして、2、128 最初の茂っている124のものの木表148に対して。 具体化、第1代126が含むかもしれない外側の輪状のメンバーによると、堅い材料は実質的に堅さを妨げることのない隔離者によって経験されて、第1代エラストマーメンバーの能力をじめじめとするのが、128であったならばそうするかもしれない振動にかけられている間、構造的完全性を維持できます。 アルミニウム、鉄鋼、およびチタニウムに含んでいますが、適当な材料は限られていません。 外側の輪状のメンバー126が持っている1番目 リング部分150と取付フランジ152 リング部分150には、最初のエラストマーメンバー128のものの外側の直径を収容するのに適当な内径があります。 具体化、リング部分150の内径は約0.4cmから約5cmの範囲で中です。 しかしながら、他の具体化では、特定の内径規模は、より大きいか、または、よりわずかであるかもしれません。 取付フランジ152は、リング部分150から放射状に外面的に広がっていて、見せられなかった別のメンバー（例えば、宇宙船構造）に振動絶縁装置100に愛着するための表面を備えるために適合させられるかもしれません、そして、最初のマウントを取り付けるために、2番目へのセクション104はセクション106を取り付けます。 特に、取付フランジ152は最初に外側の終わり158で付属表面156を定義するかもしれません。1番目に向かって置かれる輪状のメンバー126は、108本のシャフト102を終わらせます。 
【００２１】
0022 第1代特定の堅さを持つために構成されて、しっとりとして、128がそうするかもしれないエラストマーメンバー。 第1代エラストマーメンバーの例、特定の堅さ、および湿気には、128は最初の堅さと実質的に等しいかもしれません、そして、1番目が最初にしっとりとすると、セクション104は上がります。 具体化、第1代128がそうするエラストマーメンバーでは、特定の堅さを持って、（例えば、最初の堅さと最初に、湿気）をじめじめとする材料を含んでください、1つの具体化で。 含んでいますが、特定の堅さと湿気が制限されない提供、ゴム、重合体、viscoelastics、および他のエラストマー材料のための適当な材料。 別の具体化、第1代128がそうするエラストマーメンバーでは、形成されて、特定の堅さを提供してください。 例、第1代128がいるエラストマーメンバーに、最初に、終わり160と1秒は162を終わらせます。（そこでは、最初の終わりに、160が2番目より大きい外側の直径に162を終わらせます）。 具体化、第1代128が端が欠けているドームに形成させるかもしれないエラストマーメンバーによると。 他の具体化、第1代128がそうするエラストマーメンバーでは、frusto-円錐形、または一般に凹形の木表形を持ってください。 別の具体化、第1代128がそうするエラストマーメンバーに従って、最初の茂っている124で空洞を形成する木裏を持ってください、図2に示されているように。 あるいはまた、第1代128が固体が材料の断片であったならばそうするかもしれないエラストマーメンバー。 しかしながら、感謝する、 それ、最初に、エラストマーメンバー128が固体です、または最初のマウント部分104によって提供されるように、くぼみは希望の堅さによるかもしれません。 
【００２２】
どんな場合でも0023、1番目が160最初のエラストマーメンバー128の持つことを終わらせる、 より大きい直径が置かれることに隣接して、124に茂りながら、1つの番目ものの取付フランジ152を隣接させるかもしれません。 さらに、2番目の終わりに、都合のよい実施例では、162は第1代外側の輪状のメンバーのリング部分150から放射状に内部で置かれます。 1つの例では、第1代図1、最初の終わりの160人のエラストマーメンバーに示されているように、128は1つの番目ものの軸方向位置の先で軸方向に、取付フランジ152が放射状にそれについて広がる外側の輪状のメンバー126を広げないように、配列されるかもしれません。
【００２３】
2番目の振動モードのための2番目の堅さと2番目の湿気と共に2番目のマウントにセクション106を供給する0024（マウント部分106がシャフト102の周りで配列されて、シャフト102に比例して軸方向と放射状に動くことができるコンポーネントを含む秒）は1つの番目ものの軸の運動に対応してセクション104を取り付けます。 マウント部分106が2番目の茂っている164を含んでいる秒の1つの具体化における2番目の外側の輪状のメンバー166と2番目のエラストマーメンバー168。 2番目の茂っている164は、半径のギャップ、1つ以上の軸のギャップ、およびクリアランスが現在のであることができるように、最初の茂っている124とシャフト102の半径のプレート114の間に置かれます。 具体化、2番目の茂っている164のうちの170が配列される最初の終わりであることに隣接して、存在、1番目は別として区切られて、最初の軸のギャップ172を形成する最初の茂っている124のうちの138を終わらせてください。 約0.254mmから約0.508mmの範囲、具体化における軸の長さに172にはあるかもしれない最初の軸のギャップ。 しかしながら、全体寸法によって、隔離者100、172がそうする最初の軸のギャップでは、前述の範囲よりさらに大きいか、または小さくしてください。 別の具体化、2番目の終わりに従った2番目の茂っている164のうちの174は、そのほかに軸のクリアランス176を形成するために半径のプレート114に隣接して配列されるかもしれません。 軸のクリアランス176には、眼軸長があるかもしれません、すなわち、軸のクリアランスが抑えられないように構成されて、振動環境のためにそれをゼロに合わせるために、1番目は104が大きさで分けられるセクションを取り付けます。 具体化、2番目のモードの共鳴周波数はさまざまな約40Hertzで約80Hertzに中であるかもしれません、そして、軸のクリアランス176が約0.254mmから約0.508mmの範囲にあるかもしれません。 1つの具体化では、軸のクリアランス176は軸のギャップ172が実質的に（±例えば、0.01mm）1日と等しいことであるかもしれません。 他の具体化では、軸のクリアランス176は最初の軸のギャップよりさらにすばらしいかわずかな172であるかもしれません。 しかしながら、また、軸のクリアランス176の特定の広さは隔離者100の全体寸法に依存するかもしれません。 
【００２４】
具体化に従った0025、2番目の茂っている164は2番目の茂っている164のものの木裏180とシャフト102の間に半径のギャップ179を形成するためにシャフト102の外側の直径より大きい直径がある初めの178を持っています。 具体化によると、半径のギャップ179は約0.254mmから約0.508mmの範囲に半径の長さを持っているかもしれません。 他の具体化では、半径のギャップ179の特定の半径の長さは、前述の範囲よりさらに大きいか、またはわずかであるかもしれません。 初めの178のものの直径とシャフト102の外側の直径の両方が2番目の茂っている164のものの眼軸長に沿って均一直径を持っているように見えますが、他の具体化では、2は異なった直径を持っているかもしれません、半径のギャップ179であることが支持される限り。
【００２５】
2番目の茂っている164は円筒断面182とフランジ184で補われるかもしれません、具体化で。 円筒断面182は、1番目と2番目の終わり173、174の間で広がっていて、約0.2cmから約3cmの範囲に外側の直径を持っているかもしれません。（具体化では、cmは実質的に最初の茂っている124のもののものと同様であるかもしれません）。 しかしながら、2番目の茂っている164のものの円筒断面182の特定の外側の直径は隔離者100の希望の全体寸法に依存するかもしれません。 フランジ184は、2番目の終わり174に配列されて、そこから放射状に外面的に広がっています。 また、具体化では、フランジ184（円筒断面182のものより大きい外側の直径を持っています）は半径のプレート114の外側の直径より大きい外側の直径を持っているかもしれません。 例えば、フランジ184の外側の直径が約0.3cmから約4cmの範囲にあるかもしれません、具体化で。 しかし、他の具体化では、フランジ184の外側の直径はそうです。前述の範囲よりさらに大きいか、または小さいです。 フランジ184には、一般に円形の形があるかもしれませんが、それは他の具体化における異なった形を持っているかもしれません。 
【００２６】
具体化に従った、2番目の茂っている164は堅い材料で作られているかもしれません、アルミニウム、または他の具体化における別の材料などのように。 2番目の茂っている164は実質的に最初の茂っている124のもののものと同様の材料で作られているかもしれません、具体化で。 他の具体化では、軸受筒124、164の材料は、異なるかもしれませんが、同様の物理的性質を持っているかもしれません。
【００２７】
2番目の外側の輪状のメンバー166は、シャフト102に同心であり、第1代外側の輪状のメンバーの間に126と半径のプレート114を置きました。 また、具体化によると、2番目の外側の輪状のメンバー166は2番目の茂っている164に対して2番目のエラストマーのメンバー168を置く2番目の茂っている164の周りで配列されるかもしれません。 具体化によると、実質的に堅さを妨げて、2番目のエラストマーのメンバー168の能力をじめじめとせずに、それは外側の輪状のメンバー166が振動にかけられている間、構造的完全性を維持できる堅い材料を入れるかもしれない秒に隔離者によって経験されるかもしれません。 アルミニウム、鉄鋼、またはチタニウムに含んでいますが、適当な材料は限られていません。 具体化、第2代166が実質的に最初の輪状のメンバー126のもののものと同じ材料で作られているかもしれない外側の輪状のメンバーで 他の具体化では、メンバー126、166の材料は、異なるかもしれませんが、同様の物理的性質を持っているかもしれません。0029 2番目の外側の輪状のメンバー166はリング部分186と取付フランジ188を入れるかもしれません、具体化で。 リング部分186には、2番目のエラストマーのメンバー168の外側の直径に対応する内径があります。 1つの具体化、リング部分186の内径は約0.4cmから約5cmの範囲で中です。 しかしながら、特定の直径は2番目のエラストマーのメンバー168の寸法に依存するかもしれません。 取付フランジ188は、リング部分186から放射状に外面的に広がっていて、寸法と最初の外側の輪状のメンバー126のものの取付フランジ152に対応する形を持っています。 例えば、外側の輪状のメンバー166が最初の外側の輪状のメンバー126に置かれる付属顔190をに向かって持っていて、付属表面156に対応する形を持っている秒の取付フランジ188 2つの付属表面190、156が、1秒の軸のギャップ191を形成するために離れて区切られます。 191が眼軸長が実質的に（±例えば、0.05mm）との最初の軸のギャップ172のものと等しさにするかもしれない2番目の軸のギャップ 他の具体化では、二重ギャップ191、172は等しくないかもしれません。 どのような場合でも、2番目の軸のギャップ191が約0.254mmから約0.508mmまでの範囲にあるかもしれません。 他の具体化では、ギャップ191は、前述の範囲よりさらに大きいか、または小さいかもしれません。 具体化、2個の取付フランジ188の外側の周辺では、2巻192、194以上（図1）によって152がお互いに保証されます。 他の具体化では、取付フランジ188、152は留め金か他の共役機構で取り付けられるかもしれません。
【００２８】
マウント部分106（2番目のエラストマーのメンバー168を含んでいます）が特定の堅さと湿気を持つために構成されるかもしれない秒。 具体化では、特定の堅さと湿気は実質的に2番目の堅さと2番目の湿気がセクション106を取り付ける秒と等しいかもしれません。 他の具体化では、特定の堅さと湿気は2番目のマウントの2番目の堅さと2番目の湿気よりさらに多くか少ないセクション106であるかもしれない。 どのような場合でも、2番目のエラストマーのメンバー168は特定の堅さと湿気を持っている材料を含むかもしれません。 適当な材料は、包含しますが、有限であることで、ゴム（重合体）にviscoelasticsされるということではありませんもう一方はエラストマー材料です。 別の具体化では、2番目のエラストマーのメンバー168は、特定の堅さを提供するために形成されるかもしれません。 1つの例に、終わり196と1秒は、エラストマーメンバー168には第1がある秒に198を終わらせます、198が1番目より小さい外側の直径に196を2番目の終わりに終わらせるところで。 具体化、第2代168がそうするエラストマーメンバーに従って、そんなに実質的に第1代エラストマーメンバーのものと同様の形を持ってください。128 2人のメンバー128、168が適切にお互いに隣接して置かれるとき、彼らが、お互いの鏡像であるように見えることができるように。 中の具体化における例、どれ、まず最初に、エラストマーメンバー128には、端が欠けているドーム形があります、また、エラストマーメンバー168には端が欠けているドーム形があるかもしれない秒に。 あるいはまた、128には、frusto-円錐形が第1代エラストマーメンバーであればあります、第2代168が同じくらいに形成させるかもしれないエラストマーメンバー。 他の具体化では、エラストマーメンバー168が一般に凹形の木表にそれを形成させるかもしれない秒は最初のエラストマーメンバー128のもののものと同様であるかもしれません。 別の具体化によると、それは、エラストマーメンバー168には木裏があるかもしれない秒に2番目の茂っている164で空洞を形成します、1日と同様の図1にエラストマーメンバー128を示しているように。 しかしながら、他の具体化では、128は第1代エラストマーメンバーである間、エラストマーメンバー168が材料のしっかりした断片であるかもしれない秒に空洞であるかもしれませんか、2人のメンバー128、168がともに固体のメンバーであるかもしれません。 どんなケース、エラストマーメンバー168が固体である、またはくぼみが希望の堅さによるかもしれない秒と秒単位で提供される湿気が、セクション106を取り付けるか、そして、および隣接のコンポーネントではも、最初に、セクション104を取り付けてください。 
【００２９】
2番目が、より小さい直径を持っているエラストマーメンバー168が、置かれる秒に198を終わらせる0031年であることに隣接して、164に茂りながら、秒のフランジ184を隣接させるかもしれません。 都合のよい実施例では、最初の終わりに、196は軸方向に付属を超えて広がることのない外側の輪状のメンバー166がそれの190に直面している秒のリング部分186から放射状に内部で置かれます。 このように、お互いは別として、1日の最初の終わり160、196と2番目のエラストマーメンバー128、168は、1秒の軸のギャップ202を形成するために区切られます。 1つの具体化では、2番目の軸のギャップ202は約0.0254cmから約0.508cmの範囲に眼軸長を持っているかもしれません。 他の具体化では、2番目の軸のギャップ202は、前述の範囲よりさらに大きいか、または小さいかもしれません。
【００３０】
0032 詰め物107は、輪状のメンバー126と輪状のメンバー166の間に位置していて、隔離者100の1番目と2番目の軸のギャップ172、191の眼軸長を維持するために1番目と2番目のマウントの間の適切なスペースにセクション104、106を提供するために構成されます。 この点で、詰め物107によるディスクの形をしていて、第1代外側の輪状のメンバーの付属顔156の間に配列されて、126と付属が190人の2番目の外側の輪状のメンバー166に直面しているということです。 具体化によると、詰め物107は1番目と2番目のエラストマーメンバー128、168の間にも配列されるかもしれません。 詰め物107は単一のディスクとして見せられますが、あるいはまた、詰め物107は1つ以上のコンポーネントで作られるかもしれません。
【００３１】
詰め物107には、一定の厚みがあるかもしれません、1番目と2番目の軸のギャップ172、191が実質的にお互いと等しい具体化で。 他の具体化では、詰め物107は異なった厚みを持っているかもしれません。 そのような場合では、隔離者100が組み立てられるとき、異なった厚さの位置は1番目と2番目の軸のギャップ172、191の位置によるかもしれません。      
【００３２】
詰め物107に含まれるかもしれない適当な材料は、アルミニウム、鉄鋼、またはチタニウムです。
操作の間、付属設備からの振動はシャフト102を通して隔離者100に伝えられるかもしれません。 隔離者100が1番目が取り付ける最初のモード（すなわち、構造に軌道の振動環境を代表している小さい振幅振動があるとき）における振動にかけられるとき、セクション104は、反応して、この振動環境のための希望の堅さと湿気を提供するかもしれません。 特に、振動はシャフト102を通してエラストマーメンバー128を1日に旅行するかもしれません（小さな振幅のための希望の堅さと湿気に最初に、振動モードを提供するために構成されるかもしれません）。 隔離者100が2番目の振動モードにおける振動にかけられるなら（すなわち、構造には、いつ、打上げ振動環境を代表しているより大きい振幅振動がありますか）、マウント部分106が1番目に協力する秒にセクション104を取り付けてください、より大きい振幅振動環境のための適切な堅さと湿気を提供するために平行で行動して。 明確に、シャフト102からの振動は2番目のエラストマーのメンバー168に伝えられるかもしれません、そして、1番目が取り付けるそれを超えた振幅増加として、セクション104は可能です、シャフト102が2番目のマウント部分106と2番目のマウント部分106に向かった104がその結果、振動を隔離する、そして/または、じめじめとするようにシャフト102に沿って軸方向に動かすかもしれない最初のマウント部分を動かすかもしれないということです。 1番目と2番目のマウント部分104、106の間に1番目と2番目の軸のギャップ172、191を提供して、ギャップ172、191で詰め物107を配列するので、1番目と2番目のエラストマーメンバー128、168は、異なった振動モード（すなわち、小さい振幅振動と大振幅振動）のためにお互いから別々に維持されて、異なった堅さを提供して、その結果、特性をじめじめとすることができるかもしれません。 2番目のマウント部分106と、最初のマウントの間の軸のクリアランスにセクション104、2番目のマウントを提供することによって、セクション106は隔離者100が最初のモードで振動するとき経験されるかもしれないものより高い振幅を持っている2番目の振動モードにおける振動を減衰させることができるかもしれません。
【００３３】
したがって、振動防止装置が現在持っている0035、振動の多重モード（すなわち、振幅レベル）のために機能するかもしれません（すなわち、希望の堅さと減衰特性を提供します）。 従来の振動防止装置と比べて、振動防止装置は、比較的安価であって、製造しているのは、より簡単であるかもしれません。 さらに、振動防止装置は、従来の孤立のものより実質的に等しいか少ないマウントである足跡を占領するために容易に組み立てられて、その結果、隔離される、そして/または、じめじめとする必要があるかもしれない振動になるかもしれない既存のシステムに改装されるかもしれません。0036 少なくとも1つの模範的具体化が発明的な内容の以上の詳述で提示されている間、膨大な数の変化が存在するのが理解されるべきです。 また、模範的具体化か模範的具体化は例だけであり、いかなる方法でも発明的な内容の範囲、適用性、または構成を限定する意図でないことが理解されるべきです。 むしろ、以上の詳述は、発明的な内容の模範的具体化を実行するために便利な道路地図を当業者に提供するでしょう。 様々な変更が追加されたクレームに詳しく説明されるように、発明的な内容の範囲から逸脱せずに模範的具体化で説明された要素の機能とアレンジメントで行われるかもしれないのが理解されます。
【図１】
2010112555.tif 000003
【図２】
2010112555.tif 000004
【外国語明細書】
2010112555000001.pdf